(57)【要約】  【課題】  画面サイズが同じであるサイドスピーカ型とアンダースピーカ型の薄型表示装置については、スピーカ部分を除く本体部分を共通にして、生産現場での部品管理および組立作業を容易にする。  【解決手段】  表示画面の外側の左右両端および下端にスピーカ連結部を備えるとともに、本体背面下部にスピーカ用の出力端子を備えた薄型表示装置において、前記左右両端のスピーカ連結部にそれぞれスピーカが連結された場合は、前記出力端子に接続した２対のスピーカ用配線を本体下端部に這わせてから左右の角部を介して本体両端部を上方に這わせてそれぞれ左右のスピーカに接続し、前記下端のスピーカ連結部にスピーカが連結された場合は、前記出力端子に接続したスピーカ用配線を本体下端部に這わせて下端のスピーカに接続する。【選択図】  図２
2005191787.tif 000002
【特許請求の範囲】
【請求項１】
スピーカ出力端子と装置縁部にスピーカ連結部を有する薄型表示装置において、
該薄型表示装置に取り付けられる配線器具を有し、前記スピーカ出力端子と前記スピーカ連結部に取り付けられるスピーカとの間の接続線は、前記スピーカ出力端子から前記スピーカ連結部近傍に到る配線部分が前記配線覆具に覆われていることを特徴とする薄型表示装置。
【請求項２】
表示画面の外側の左右両端または／および下端にスピーカ連結部を備えるとともに、本体背面下部にスピーカ用の出力端子を備えた薄型表示装置において、
前記左右両端のスピーカ連結部にそれぞれスピーカが連結された場合は、前記出力端子に接続した２対のスピーカ用配線を本体縁部に這わせてそれぞれ左右のスピーカに接続し、
前記下端のスピーカ連結部にスピーカが連結された場合は、前記出力端子に接続したスピーカ用配線を本体下端部に這わせて下端のスピーカに接続したことを特徴とする薄型表示装置。
【請求項３】
表示画面の外側の左右両端または／および下端にスピーカ連結部を備えるとともに、本体背面下部にスピーカ用の出力端子を備えた薄型表示装置において、
前記左右両端のスピーカ連結部にそれぞれスピーカが連結された場合は、前記出力端子に接続した２対のスピーカ用配線を本体縁部に這わせてそれぞれ左右のスピーカに接続した後、内側に配線収納凹部を形成したＬ字形の１対の配線押さえ具により左右の前記配線を覆った後、前記配線押さえ具を本体端部に取り付け、
前記下端のスピーカ連結部にスピーカが連結された場合は、前記出力端子に接続したスピーカ用配線を本体下端部に這わせて下端のスピーカに接続した後、前記配線を配線カバーにより覆ったことを特徴とする薄型表示装置。
【請求項４】
本体背面がスタンド支柱に支持されるとともに、表示画面の外側の左右両端および下端にスピーカ連結部を備え、かつ本体背面下部にスピーカ用の出力端子を備えた薄型表示装置において、
前記左右両端のスピーカ連結部にそれぞれスピーカが連結された場合は、前記出力端子に接続した２対のスピーカ用配線を本体下端部に這わせてから左右の角部を介して本体両端部を上方に這わせてそれぞれ左右のスピーカに接続した後、内側に配線収納凹部を形成したＬ字形の１対の配線押さえ具により左右の前記配線を覆った後、前記配線押さえ具を本体端部に取り付け、
前記下端のスピーカ連結部にスピーカが連結された場合は、前記出力端子に接続したスピーカ用配線を本体下端部に這わせて下端のスピーカに接続した後、前記配線を配線カバーにより覆ったことを特徴とする薄型表示装置。
【請求項５】
請求項３または４に記載の薄型表示装置において、
前記配線押さえ具の本体端部との当接面に複数のカヌークリップを突設するとともに、前記配線押さえ具が当接される本体端部側に前記カヌークリップの受け孔を形成しておき、前記配線押さえ具を前記カヌークリップにより本体端部に嵌着したことを特徴とする薄型表示装置。
【発明の詳細な説明】
【技術分野】
【０００１】
本発明は、液晶テレビ等の薄型表示装置に関し、詳しくは、表示画面の外側の左右両端または下端にスピーカを配置することができる薄型表示装置に関する。
【背景技術】
【０００２】
従来、液晶テレビでは、画面の大型化に伴いユーザの多様な要望に応じて、スピーカの位置を表示画面の外側の左右位置に配置したサイドスピーカ型としたり、下端部に配置したアンダースピーカ型としていた。このようにスピーカの配置位置に特徴を持たせたものとして特許文献１に記載の「スピーカ装置」がある。これらの液晶テレビでは、商品企画の段階から、スピーカの配置が決められて、その配置に応じた本体キャビネット等の表示画面回りのパネル部品の金型がおこされて量産されていた。
【特許文献１】特開２００３−１６４０００号公報
【発明の開示】
【発明が解決しようとする課題】
【０００３】
このように、従来の液晶テレビの場合は、画面サイズが同一であっても、スピーカの位置が異なる場合は別商品として、表示パネルや回路部品等を共通としながらも、表示画面およびスピーカ回りの筐体関連部品は、異なる部品を用いて組み立てられていた。一方、液晶テレビを製造する製造現場での要望としては、多品種生産の場合でも、画面サイズが同一の機種であれば、可能な限り部品を共通化して、部品管理および組立作業を共通にすることが好ましく、そうすることにより組立工程でのコストダウンも可能であった。そこで本発明は、液晶テレビの画面サイズが同一であってスピーカの位置が異なる機種についても、回路部品以外の画面回りのパネル部品を共通化して、機種によって異なる部品の点数を最小限とすることを目的とした。
【課題を解決するための手段】
【０００４】
上記課題を解決するために、本発明は、スピーカ出力端子と装置縁部にスピーカ連結部を有する薄型表示装置において、該薄型表示装置に取り付けられる配線器具を有し、前記スピーカ出力端子と前記スピーカ連結部に取り付けられるスピーカとの間の接続線は、前記スピーカ出力端子から前記スピーカ連結部近傍に到る配線部分が前記配線覆具に覆われていることを特徴とする。
また、本発明は、表示画面の外側の左右両端または／および下端にスピーカ連結部を備えるとともに、本体背面下部にスピーカ用の出力端子を備えた薄型表示装置において、前記左右両端のスピーカ連結部にそれぞれスピーカが連結された場合は、前記出力端子に接続した２対のスピーカ用配線を本体縁部に這わせてそれぞれ左右のスピーカに接続し、前記下端のスピーカ連結部にスピーカが連結された場合は、前記出力端子に接続したスピーカ用配線を本体下端部に這わせて下端のスピーカに接続したことを特徴とする。
また、本発明は、表示画面の外側の左右両端または／および下端にスピーカ連結部を備えるとともに、本体背面下部にスピーカ用の出力端子を備えた薄型表示装置において、前記左右両端のスピーカ連結部にそれぞれスピーカが連結された場合は、前記出力端子に接続した２対のスピーカ用配線を本体縁部に這わせてそれぞれ左右のスピーカに接続した後、内側に配線収納凹部を形成したＬ字形の１対の配線押さえ具により左右の前記配線を覆った後、前記配線押さえ具を本体端部に取り付け、前記下端のスピーカ連結部にスピーカが連結された場合は、前記出力端子に接続したスピーカ用配線を本体下端部に這わせて下端のスピーカに接続した後、前記配線を配線カバーにより覆ったことを特徴とする。
また、本発明は、本体背面がスタンド支柱に支持されるとともに、表示画面の外側の左右両端および下端にスピーカ連結部を備え、かつ本体背面下部にスピーカ用の出力端子を備えた薄型表示装置において、前記左右両端のスピーカ連結部にそれぞれスピーカが連結された場合は、前記出力端子に接続した２対のスピーカ用配線を本体下端部に這わせてから左右の角部を介して本体両端部を上方に這わせてそれぞれ左右のスピーカに接続した後、内側に配線収納凹部を形成したＬ字形の１対の配線押さえ具により左右の前記配線を覆った後、前記配線押さえ具を本体端部に取り付け、前記下端のスピーカ連結部にスピーカが連結された場合は、前記出力端子に接続したスピーカ用配線を本体下端部に這わせて下端のスピーカに接続した後、前記配線を配線カバーにより覆ったことを特徴とする。
ここで、前記配線押さえ具の本体端部との当接面に複数のカヌークリップを突設するとともに、前記配線押さえ具が当接される本体端部側に前記カヌークリップの受け孔を形成しておき、前記配線押さえ具を前記カヌークリップにより本体端部に嵌着することが好ましい。
【発明の効果】
【０００５】
以上述べたように本発明によれば、画面サイズが同じであるサイドスピーカ型とアンダースピーカ型の薄型表示装置については、スピーカ部分を除く本体部分が共通化可能となり、生産現場での部品管理および組立作業が容易となる。さらには、縁部の薄肉厚部に配線することで、薄型表示装置の薄型を維持しつつ外観を損ねることがない。
【発明を実施するための最良の形態】
【０００６】
以下、図に基づいて本発明の実施形態を説明する。
図１〜図７はサイドスピーカ型の液晶テレビの実施形態を示し、図１は正面図、図２は図１の背面図、図３は図２の要部を拡大した斜視図、図４は図３からカバーを外して示した斜視図、図５は配線押さえ具の正面図、図６および図７は配線押さえ具の斜視図である。図１〜図４に示されるように、液晶テレビ本体１の左右両端のスピーカ連結部（図２のカバー４，５の内側）に、液晶テレビ本体１と同一の高さをして左右対称形のスピーカ２，３が取り付けられている。なお、この液晶テレビ本体１は、下端にもスピーカ連結部（図２のカバー６，７の内側）が設けられており、そこへ液晶テレビ本体１と同一幅のスピーカを取り付けることが可能である。
【０００７】
次に、これらスピーカ２，３への配線について説明する。図３に示される液晶テレビ本体１の背面下部のカバー８を取り外し、図４に示される露出された端子台９にスピーカ配線（図示せず）を接続し、スピーカ３の配線は、端子台９から左の方向に引き回し、端子台９に対して左側の左右対称位置から下方へ延ばし、液晶テレビ本体１の外部に引き出す。引き出された配線は、液晶テレビ本体１の下端を左方向へ這わせて、液晶テレビ本体１とスピーカ３との接続位置で上方へ９０度折り曲げ、上方のカバー５を取り外して露出されている部分を経由して、カバー１２を取り外して露出されている端子台１３に接続される。
【０００８】
この状態で、図３に示されるように、カバー８、カバー５、カバー１２を嵌着する。さらに、Ｌ字形をした配線押さえ具１５を内側に配線を収納させながら下方および後方から上方および前方へ押し込むことで、配線押さえ具１５が液晶テレビ本体１に嵌着される。配線押さえ具１５は、図５〜図７に示されるように、Ｌ字形の水平部材の上面に２個のカヌークリップ突起１６，１７が突設され、垂直部材の裏面に３個のカヌークリップ突起１８〜２０が突設されている。これらの突起１６〜２０に対応する液晶テレビ本体１の端部に、カヌークリップ受け孔（図示せず）が形成されている。また、配線押さえ具１５の内側には、スピーカ配線を収納するための凹部２１，２２が形成されている。図３および図４は背面左側のスピーカ３への配線を示しているが、左右反対側のスピーカ２についても同様な手順で配線して、カバー８、カバー４、カバー１１、配線押さえ具１４を嵌着することで結線することができる。
【０００９】
図８〜図１１はアンダースピーカ型の液晶テレビの実施形態を示し、図８は正面図、図９は図８の背面図、図１０は図９の要部を拡大した斜視図、図１１は図１０からカバーを外して示した斜視図、図１２〜図１４はカバーを示す外観図、図１５および図１６はスピーカ連結部の斜視図である。これらの図に示されるように、液晶テレビ本体１の背面下端のカバー３２等を取り外して露出されたスピーカ連結部３３，３４に、液晶テレビ本体１と同一の幅をしたスピーカ３１が取り付けられている。このスピーカ３１は外観は１個であるが、内部は２個の左右スピーカにより構成されている。なお、この液晶テレビ本体１は、図１〜図３の液晶テレビ本体１と同一のものであり、前述のスピーカ連結部３３，３４は、図２のカバー６，７の内側に配置されているものである。
【００１０】
図９および図１０のカバー３２は、図１２〜図１４に示されるように矩形の本体部の左端に突出部３２ａが延設され、右端の背面にリブ状の突起３２ｂが垂直に突出されている。本体部にビス孔３２ｃが２個形成されており、この孔３２ｃにより、スピーカ連結部３４の上にビスにより取り付けられる。図１１のスピーカ連結部３４は、図１４および図１５に示されるように、断面Ｌ型の本体の内側に、カバー３２を取り付けるための２個のねじ孔３４ａが形成され、さらにねじ孔３４ａと同ピッチで液晶テレビ本体１に取り付けるための２個のビス孔３４ｂが形成されている。また、スピーカ連結部３４の本体の下端部にはスピーカ配線を通すための切り込み３４ｃが形成されている。さらに、切り込み３４ｃの外側にはスピーカ３１を取り付けるための２個のねじ孔３４ｄが形成されている。
【００１１】
次に、これらスピーカ３１への配線について説明する。図９および図１０に示される液晶テレビ本体１の背面下部のカバー８，３２等と、スピーカ３１のカバー３５，３６を取り外す。ここで、図１１に示される露出された端子台９にスピーカ配線（図示せず）を接続し、スピーカ３１の左側への配線は、カバー８の内側は這わせてスピーカ連結部３３の下部の切り込みを通し、カバー３６の下側の端子台（図示せず）に接続する。同様に、スピーカ３１の右側への配線は、スピーカ連結部３４の下部の切り込み３４ｃを通し、カバー３５の下側の端子台３７に接続する。次いで、液晶テレビ本体１の背面下部のカバー８，３２等と、スピーカ３１のカバー３５，３６を嵌着して終了する。
【００１２】
上述したように本発明では、液晶テレビ本体１の背面に左右のスピーカを取り付けるためのスピーカ連結部（図２のカバー４，５の内側）と、下端へスピーカを取り付けるためのスピーカ連結部３３，３４を備えたことで、液晶テレビ本体１を同一としたままで、両端にスピーカを取り付けたサイドスピーカ型の液晶テレビと、下端にスピーカを取り付けたアンダースピーカ型の液晶テレビへの展開が可能となり、これら２機種を生産する生産現場での部品点数が削減されるとともに、組立工程を共通化することが可能となる。
【産業上の利用可能性】
【００１３】
本発明は、液晶テレビ以外に、ＰＤＰ、ＳＥＤ、有機ＥＬディスプレィ等の薄型表示装置に利用可能である。
【図面の簡単な説明】
【００１４】
【図１】サイドスピーカ型の液晶テレビの実施形態を示す正面図である。
【図２】図１の背面図である。
【図３】図２の要部を拡大した斜視図である。
【図４】図３からカバーを外して示した斜視図である。
【図５】配線押さえ具の正面図である。
【図６】配線押さえ具の斜視図である。
【図７】配線押さえ具の斜視図である。
【図８】アンダースピーカ型の液晶テレビの実施形態を示す正面図である。
【図９】図８の背面図である。
【図１０】図９の要部を拡大した斜視図である。
【図１１】図１０からカバーを外して示した斜視図である。
【図１２】カバーを示す正面である。
【図１３】図１２の斜視図である。
【図１４】図１２の背面側の斜視図である。
【図１５】スピーカ連結部の斜視図である。
【図１６】スピーカ連結部の斜視図である。
【符号の説明】
【００１５】
１  液晶テレビ本体
２，３  スピーカ
４〜８  カバー
９  端子台
１１，１２  カバー
１３  端子台
１４，１５  配線押さえ具
１６〜２０  カヌークリップ突起
２１，２２  凹部
３１  スピーカ
３２  カバー
３３，３４  スピーカ連結部
３５，３６  カバー
３７  端子台
【図１】
2005191787.tif 000003
【図２】
2005191787.tif 000004
【図３】
2005191787.tif 000005
【図４】
2005191787.tif 000006
【図５】
2005191787.tif 000007
【図６】
2005191787.tif 000008
【図７】
2005191787.tif 000009
【図８】
2005191787.tif 000010
【図９】
2005191787.tif 000011
【図１０】
2005191787.tif 000012
【図１１】
2005191787.tif 000013
【図１２】
2005191787.tif 000014
【図１３】
2005191787.tif 000015
【図１４】
2005191787.tif 000016
【図１５】
2005191787.tif 000017
【図１６】
2005191787.tif 000018